(57)【要約】【課題】回路基板へ表示管を実装する際にホルダーから外れたり浮き上がったりすることを抑制する表示管取り付け構造を提供することである。【解決手段】表示管１３の背面側へ延出する端子１４がホルダーの貫通孔３２に挿通されて回路基板４０に固定される表示管取り付け構造において、端子１４は、表示管１３の背面側へ表示管１３に対して略垂直に延出した第１部分１４ａと、第１部分１４ａから鈍角に屈折した第１屈折部１４ｂと、第１屈折部１４ｂから背面側へ表示管１３に対して斜めに延出した第２部分１４ｃと、第２部分１４ｃから第１屈折部１４ｂと略等しい角度で第１屈折部１４ｂと逆方向に屈折した第２屈折部１４ｄと、第２屈折部１４ｄから背面側へ表示管１３に対して略垂直に延出した第３部分１４ｅとを有し、第２部分１４ｃの第２屈折部１４ｄ付近の前面が貫通孔３２の内壁の第２壁面３２ｃに衝止され得る構成とする。【選択図】図６
2013037178.tif 000002
【特許請求の範囲】
【請求項１】
表示管の背面側へ延出する端子がホルダーの貫通孔に挿通されて回路基板に固定される表示管取り付け構造において、
前記端子は前記貫通孔内で屈折している屈折部を有し、前記端子の該屈折部より背面側の一部の前面が前記貫通孔の内壁に衝止され得ることを特徴とする表示管取り付け構造。
【請求項２】
前記端子は、前記表示管の背面側へ前記表示管に対して略垂直に延出した第１部分と、第１部分から鈍角に屈折した第１屈折部と、第１屈折部から背面側へ前記表示管に対して斜めに延出した第２部分と、第２部分から第１屈折部と略等しい角度で第１屈折部と逆方向に屈折した第２屈折部と、第２屈折部から背面側へ前記表示管に対して略垂直に延出した第３部分とを有し、
第２部分の第２屈折部付近の前面が前記貫通孔の内壁に衝止され得ることを特徴とする請求項１記載の表示管取り付け構造。
【請求項３】
第１部分及び第３部分は前記貫通孔に遊貫していることを特徴とする請求項２記載の表示管取り付け構造。
【請求項４】
請求項１〜３の何れかに記載の表示管取り付け構造を有する記録媒体再生装置。
【発明の詳細な説明】
【技術分野】
【０００１】
本発明は、表示管の端子がホルダーを介して回路基板に固定される表示管取り付け構造及びその構造を有する記録媒体再生装置に関する。
【背景技術】
【０００２】
電気機器に搭載される回路基板には各種電子部品が実装されており、その電子部品の取り付け作業を効率良く行うために様々な工夫がされている。これは、ＤＶＤやＢＤ（Blu-ray Disc）等の光ディスクを再生する光ディスクプレーヤーなどの記録媒体再生装置においても同じである。
【０００３】
例えば、特許文献１には、電子部品の本体部から延びる複数本のリード線を、それぞれ基板に形成された挿通孔に挿通させて、前記基板に前記電子部品を実装する電子部品取付構造において、前記複数本のリード線のうちの一部のリード線を、先端側を根元側に向けて折り返した折返部を有する屈曲リード線とし、前記屈曲リード線が前記挿通孔に挿通された状態で、前記折返部によって当該挿通孔の内面を押圧するようにした電子部品取付構造が開示されている。この構成により、振動が発生しても折返部内面を押圧する部位に摩擦力が生じて抜けにくくなり、部品浮きや部品落下等を抑制することができるとある。
【０００４】
また特許文献２には、回路基板に取り付けられる第１取付具と、この第１取付具に載せた状態で前記第１取付具の一部分を中心に所定角度回動させることにより、表示管の表示部を保持する保持部が前記第１取付具の外形の外側へ突出する第２取付具と、からなる表示管取付具が開示されている。
【０００５】
また特許文献３には、筐体の開口部に臨む表示部が位置する正面部と該正面部に対向する背面部と互いに対向する一対の側面部と互いに対向する上面部及び下面部とを有する矩形板状の本体と、前記上面部又は下面部からそれぞれ突出する複数の引き出し電極及び電極製造用ピンとを備えた蛍光表示管を、ホルダーを介してプリント配線基板に取り付ける蛍光表示管取り付け構造において、前記ホルダーは、前記背面部に当接する本体板部と、前記側面部に当接する一対の側板部と、前記下面部に当接する支持部と、前記引き出し電極への静電気の放電を遮る引き出し電極カバーと、前記電極製造用ピンへの静電気の放電を遮る電極製造用ピンカバーとを有する蛍光表示管取り付け構造が開示されている。
【０００６】
また特許文献４には、表示部が臨む表面とこの表面に対向する裏面と互いに対向する一対の第１側面とを有する矩形板状の本体と、前記一対の第１側面のうちの一方の側面に該側面の延在方向に間隔をおいて設けられた複数のリードピンと、前記一対の第１側面のうちの他方の側面に該側面の延在方向に間隔をおいて突出する複数の電極製造用ピンとを備えた蛍光表示管をホルダーを介して基板に取り付ける構造であって、前記ホルダーは、前記裏面が当接可能な背面板部と、前記背面板部から起立され前記裏面が前記背面板部に当接した状態で前記電極製造用ピンが突出する第１側面に臨む第１側板部とを有し、前記第１側板部に、前記裏面が前記背面板部に当接し前記第１側板部が前記電極製造用ピンが突出する第１側面に臨んだ状態で、前記電極製造用ピンが突出する第１側面に離間接近する方向に弾性変形可能で前記表面側から前記電極製造用ピンに係止する係止片が設けられている構成が開示されている。
【先行技術文献】
【特許文献】
【０００７】
【特許文献１】特開２００７−１９４４２８号公報
【特許文献２】特開平９−８１０５２号公報
【特許文献３】特開２００７−３２２８０８号公報
【特許文献４】特開２００５−３４５７６３号公報
【発明の概要】
【発明が解決しようとする課題】
【０００８】
特許文献２〜４に示されているように、記録媒体再生装置等の電気機器においては、動作状態などを表示する小型の表示部として表示管が用いられている。通常、この表示管は樹脂製のホルダーに設置された状態で回路基板に半田付け等により固定されている。
【０００９】
このような構成においては、表示管とホルダーとを組み付け、ホルダーを回路基板に取り付け、表示管の端子を回路基板に半田付けするという工程を取ることが一般的である。しかしながら、表示管とホルダーとを組み付けた状態では確実に固定されているわけではなく、表示管の端子が回路基板に半田付けされることで表示管とホルダーと回路基板とが固定される。
【００１０】
そのため、表示管とホルダーと回路基板とを組み付けた状態で、半田付けするまでの間に、ホルダーから表示管が外れたり、浮いたりするおそれがある。したがって、半田付けが完了するまで表示管を押さえ付けておかなければならない。
【００１１】
本発明は、回路基板へ表示管を実装する際にホルダーから外れたり浮き上がったりすることを抑制する表示管取り付け構造を提供することを目的とする。また、その表示管取り付け構造を有する記録媒体再生装置を提供することも目的とする。
【課題を解決するための手段】
【００１２】
上記目的を達成するために本発明は、表示管の背面側へ延出する端子がホルダーの貫通孔に挿通されて回路基板に固定される表示管取り付け構造において、前記端子は前記貫通孔内で屈折している屈折部を有し、前記端子の該屈折部より背面側の一部の前面が前記貫通孔の内壁に衝止され得ることを特徴とする。
【００１３】
この構成によれば、端子が貫通孔の内壁に衝止され得ることにより、表示管が前方に抜けにくくなる。
【００１４】
上記の表示管取り付け構造において、例えば、前記端子は、前記表示管の背面側へ前記表示管に対して略垂直に延出した第１部分と、第１部分から鈍角に屈折した第１屈折部と、第１屈折部から背面側へ前記表示管に対して斜めに延出した第２部分と、第２部分から第１屈折部と略等しい角度で第１屈折部と逆方向に屈折した第２屈折部と、第２屈折部から背面側へ前記表示管に対して略垂直に延出した第３部分とを有し、第２部分の第２屈折部付近の前面が前記貫通孔の内壁に衝止され得る構成とすることができる。
【００１５】
この構成によれば、端子の第２部分の第２屈折部付近の前面が貫通孔の内壁に衝止され得ることにより、表示管が前方に抜けにくくなる。
【００１６】
また上記の表示管取り付け構造において、第１部分及び第３部分は前記貫通孔に遊貫していることが望ましい。
【００１７】
この構成によれば、端子と貫通孔の内壁との間に十分なスペースが確保され、端子を貫通孔に挿通しやすい。
【００１８】
また本発明は、上記の何れかに記載の表示管取り付け構造を有する記録媒体再生装置とする。
【発明の効果】
【００１９】
本発明によると、表示管取り付け構造において端子をホルダーの貫通孔の内壁で衝止することにより、表示管が前方に抜けにくくなるので、組み立て工程において、表示管とホルダーとを組み付けた状態、又はさらに回路基板を組み付けた状態で、半田付けするまでの間に、ホルダーから表示管が外れたり、浮いたりすることを抑制できる。そのため、半田付けが完了するまで表示管を押さえ付けておく必要がない。
【図面の簡単な説明】
【００２０】
【図１】本発明の一実施形態であるＨＤＤ一体型光ディスク装置の外観斜視図である。
【図２】本発明の一実施形態であるＨＤＤ一体型光ディスク装置の構成及びその周辺機器を示すブロック図である。
【図３】本発明の一実施形態であるＨＤＤ一体型光ディスク装置の表示管とホルダーと回路基板とを組み付けた状態の前面側の斜視図である。
【図４】図３の背面側の斜視図である。
【図５】図３の正面図である。
【図６】図５のＡ−Ａ線断面図である。
【図７】図６から回路基板を省いた図である。
【発明を実施するための形態】
【００２１】
以下、本発明の記録媒体再生装置の一例として、録画再生装置であるハードディスクドライブ（ＨＤＤ）一体型光ディスク装置を用いて説明する。
【００２２】
図１は、ＨＤＤ一体型光ディスク装置１０の外観斜視図であり、図２は、ＨＤＤ一体型光ディスク装置１０の構成及びその周辺機器を示すブロック図である。図１に示すように、ＨＤＤ一体型光ディスク装置１０の前面には、小型の表示部としての表示管１３、ＢＤ／ＤＶＤ記録再生部１９のディスクトレイなどが配置されている。
【００２３】
図２に示すように、ＨＤＤ一体型光ディスク装置１０には、テレビ等の表示装置１１と、ケーブルテレビや衛星放送等のセットトップボックス又はビデオデッキ等の録画再生装置に代表される外部装置１２とが接続されている。本ＨＤＤ一体型光ディスク装置１０はＢＤ（Blu-ray Disc）及びＤＶＤの録画／再生に対応している。またＨＤＤ一体型光ディスク装置１０は、リモコン１５によって操作可能である。
【００２４】
ＨＤＤ一体型光ディスク装置１０は、表示管１３と、チューナ１６と、映像／音声圧縮伸長部１７と、ＨＤＤ記録再生部１８と、ＢＤ／ＤＶＤ記録再生部１９と、ＯＳＤ（On Screen Display）部２０と、映像出力部２１と、音声出力部２２と、メモリ２３と、リモコン受信部２４と、外部Ｉ／Ｆ２５と、制御部２６とを備えている。
【００２５】
表示管１３は、例えばＬＥＤ（Light Emitting Diode）や蛍光管をバックライトとする液晶表示装置であり、再生や録画等の動作状態、時刻などを表示するものである。
【００２６】
チューナ１６は、アンテナで受信したデジタルテレビ放送信号を復調、デジタル化する。映像／音声圧縮伸長部１７は、チューナ１６や外部装置１２から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする。
【００２７】
ＨＤＤ記録再生部１８は、映像／音声圧縮伸長部１７から受け取った圧縮された映像／音声データをＨＤＤに記録したり、ＨＤＤに記録されたデータを再生したりする。ＢＤ／ＤＶＤ記録再生部１９は、映像／音声圧縮伸長部１７から受け取った圧縮された映像／音声データを挿入されたＤＶＤ又はＢＤに記録したり、ＤＶＤ又はＢＤに記録されたデータを再生したりする。
【００２８】
ＯＳＤ部２０は、各種設定値を表示装置１１の一部に表示しながら設定できるようにする。映像出力部２１は、ＯＳＤ部２０からの映像信号をアナログ化し、表示装置１１へ出力する。音声出力部２２は、映像／音声圧縮伸長部１７からの音声信号をアナログ化し、表示装置へ出力する。
【００２９】
メモリ２３は、ＲＯＭやＲＡＭからなり、各種プログラムや各種データ等を記憶する。リモコン受信部２４は、赤外線受光部等からなり、リモコン１５からの信号を受信する。外部Ｉ／Ｆ２５は、外部装置１２が接続される外部入力端子等からなる。制御部２６は、マイクロプロセッサ等からなり、ＨＤＤ一体型光ディスク装置１０の各部を制御する。
【００３０】
図３は、ＨＤＤ一体型光ディスク装置１０の表示管１３とホルダーと回路基板とを組み付けた状態の前面側の斜視図である。図４は、図３の背面側の斜視図である。図５は、図３の正面図である。図６は、図５のＡ−Ａ線断面図である。図７は、図６から回路基板を省いた図である。
【００３１】
表示管１３はホルダー３０に設置された状態で回路基板４０に半田付けされることで固定される。図４及び図６では、半田付けされる前の状態を示しており、この後、回路基板４０の背面側から端子毎に半田付けされる。
【００３２】
表示管１３は、その前面下部に接続され、下面を通って背面側へ延出する複数の端子１４を有している。そして、端子１４は後述するホルダー３０に形成された貫通孔内で屈折している屈折部を有している。
【００３３】
本実施形態では、端子１４は、表示管１３の背面側へ表示管１３に対して略垂直（ここでは水平）に延出した第１部分１４ａと、第１部分１４ａから斜め下方へ鈍角（例えば１１０〜１６０°）に屈折した第１屈折部１４ｂと、第１屈折部１４ｂから背面側へ表示管１３に対して斜め下方に延出した第２部分１４ｃと、第２部分１４ｃから第１屈折部１４ｂと略等しい角度で第１屈折部１４ｂと逆方向（ここでは斜め上方）に屈折した第２屈折部１４ｄと、第２屈折部１４ｄから背面側へ表示管１３に対して略垂直（ここでは水平）に延出した第３部分１４ｅとを有する。
【００３４】
第１部分１４ａと第２部分１４ｃとはほぼ同じ長さであり、第３部分１４ｅはそれよりも若干長くなっている。第３部分１４ｅの先端は回路基板４０の背面側に突出して半田付けできる長さになっている。端子１４は金属製であり上下方向に撓むので、上記のような屈折した形状であってもホルダー３０の貫通孔に挿通できる。
【００３５】
ホルダー３０は、樹脂の一体成型品であり、表示管１３を上下方向及び背面方向に面で支持するとともに、背面側の２箇所のフック３１で回路基板４０に係止される。ホルダー３０の背面にボス３３を設け、それに対向する回路基板４０部分にボス３３が挿嵌される位置決め孔４３を設けることで、ホルダー３０と回路基板４０との位置決めができる。
【００３６】
また、ホルダー３０には端子１４が挿通される貫通孔３２が各端子１４に対してそれぞれ形成されている。貫通孔３２は、端子１４の形状に沿った形状になっており、その内壁で端子１４の一部の前面を衝止する状態を取り得ることで端子１４が貫通孔３２から前方へ抜けることを抑制している。
【００３７】
本実施形態では、貫通孔３２は、ホルダー３０の前面下部に形成された前面開口部３２ａと、端子１４の第２部分１４ｃの背面に空隙を若干有して対向する第１壁面３２ｂと、端子１４の第２部分１４ｃの第２屈折部１４ｄ付近の前面に空隙をわずかに有して対向することで、前方に抜けようとする端子１４を衝止し得る第２壁面３２ｃと、ホルダーの背面下部に形成された背面開口部３２ｄとを有する。
【００３８】
貫通孔３２の内壁の他の部分は端子１４と十分に空隙を有して形成されている。つまり、端子１４の第１部分１４ａ及び第３部分１４ｅは貫通孔３２に遊貫しており、端子１４が貫通孔３２に衝止された状態では、衝止される第２部分１４ｃの第２屈折部１４ｄ付近の前面以外は貫通孔３２の内壁に接触していない。これにより、端子１４と貫通孔３２の内壁との間に十分なスペースが確保され、端子１４を貫通孔３２に挿通しやすい。
【００３９】
回路基板４０は、ホルダー３０のフック３１をそれぞれ係止するための開口部４１と、各端子をそれぞれ挿通させる孔４２とが形成された矩形平板状のプリント基板である。
【００４０】
組み立て工程では、まず表示管１３とホルダー３０とを組み付け（図７の状態）、次にホルダー３０を回路基板４０に取り付け（図６の状態）、そして表示管１３の端子１４を回路基板４０に半田付けする。なお、先にホルダー３０と回路基板４０とを組み付け、その後表示管１３を組み付けてから端子１４を半田付けしてもよい。
【００４１】
このような、表示管１３の背面側へ延出する端子１４がホルダー３０の貫通孔３２に挿通されて回路基板４０に固定される表示管取り付け構造において、端子１４の第２部分１４ｃの第２屈折部１４ｄ付近の前面が貫通孔３２の内壁の第２壁面３２ｃに衝止され得ることにより、表示管１３が前方に抜けにくくなる。なお、表示管１３の上下方向はホルダー３０の面で支持されるとともに、端子１４も貫通孔３２と孔４２とで上下方向に支持されており、表示管１３の背面方向はホルダー３０の面で支持されており、表示管１３の横方向は端子１４が貫通孔３２に挿通されていることで支持されている。よって、表示管１３はホルダー３０によって６方向に固定されている。
【００４２】
その結果、組み立て工程において、表示管１３とホルダー３０とを組み付けた状態、又はさらに回路基板４０を組み付けた状態で、半田付けするまでの間に、ホルダー３０から表示管１３が外れたり、浮いたりすることを抑制できる。そのため、半田付けが完了するまで表示管１３を押さえ付けておく必要がない。
【００４３】
なお、端子の屈折部は１つ以上あればよい。１つの場合は鈍角のＶ字形状とすることができる。この場合、この屈折部より背面側の一部の前面が貫通孔の内壁に衝止されればよい。また、３つ以上の場合は例えば階段状とすることができる。この場合、何れかの屈折部より背面側の一部の前面が貫通孔の内壁に衝止されればよい。したがって、本発明の表示管取り付け構造は上記の実施形態に限定されず、端子の何れかの屈折部より背面側の一部の前面が貫通孔の内壁に衝止され得ればよいといえる。
【００４４】
また、複数の端子を有する場合、全ての端子及びそれに対応する貫通孔を上記のような取り付け構造にする必要はなく、少なくとも表示管１３が前方に抜け落ちない強度を確保できる数だけの端子及び貫通孔を上記のような取り付け構造にすればよい。この場合、例えば他の端子及び貫通孔は直線状とすることができる。
【００４５】
また、ホルダーの貫通孔は、上述した端子毎に設ける以外にも、いくつかの端子毎に区切って設けても、全端子に対して１つ設けてもよい。
【産業上の利用可能性】
【００４６】
本発明は各種電気機器に利用でき、特に、光ディスク装置等の再生装置や録画再生装置、ハードディスク装置等の録画再生装置に有効に利用することができる。また、テレビ受像機やセットトップボックス、複数の再生部又は記録再生部を１つの筐体に組み込んだ複合機、例えばＨＤＤ一体型光ディスク装置等にも利用することができる。また、１つ以上の再生部又は記録再生部を組み込んだテレビ受像機にも利用することができる。
【符号の説明】
【００４７】
１０  ＨＤＤ一体型光ディスク装置（記録媒体再生装置）
１１  表示装置
１２  外部装置
１３  表示管
１４  端子
１４ａ  第１部分
１４ｂ  第１屈折部
１４ｃ  第２部分
１４ｄ  第２屈折部
１４ｅ  第３部分
１５  リモコン
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  外部Ｉ／Ｆ
２６  制御部
３０  ホルダー
３１  フック
３２  貫通孔
３２ａ  前面開口部
３２ｂ  第１壁面
３２ｃ  第２壁面
３２ｄ  背面開口部
３３  ボス
４０  回路基板
４１  開口部
４２  孔
４３  位置決め孔
【図１】
2013037178.tif 000003
【図２】
2013037178.tif 000004
【図３】
2013037178.tif 000005
【図４】
2013037178.tif 000006
【図５】
2013037178.tif 000007
【図６】
2013037178.tif 000008
【図７】
2013037178.tif 000009